(57)【要約】      （修正有）【課題】自動車等の洗浄作業に際し汚れ落としと洗浄面に残った水滴の水切り作業が同時に行えるブラシ毛先端部分にエッジ加工が施された洗浄用ブラシを提供する。【解決手段】ブラシ毛２の材質をシリコン樹脂又は、シリコンゴム等とし又、ブラシ毛２の１本ずつ個々の先端部分に汚れ落としと水切りを兼ねるエッジ加工を施し、洗浄面の不陸に対しても先端部分のエッジが均一に接触するようにブラシ毛２を配置する。【選択図】図１
2010155004.tif 000002
【特許請求の範囲】
【請求項１】
ブラシ毛をシリコン樹脂又は、シリコンゴム等の素材で作られた洗浄用ブラシ毛の一本ずつ個々の先端部分に汚れ落とし及び、水切りのためのエッジ加工が施されたことを特徴とするブラシ毛先端部分にエッジ加工が施された洗浄用ブラシ。
【請求項２】
請求項１記載の洗浄用ブラシが、洗浄面に不陸がある場合においても洗浄面にブラシ毛先端のエッジが接触することを特徴とする道具。
【請求項３】
請求項１記載のブラシ毛の１本ずつ個々に洗浄用の液体を排出する穴又は、溝が設けられたことを特徴とする道具。
【請求項４】
請求項１記載のブラシに洗浄用の液体を入れるための容器として飲料用のペットボトルの容器が取り付けることが出来ることを特徴とする道具。
【発明の詳細な説明】
【技術分野】
【０００１】この発明はブラシ毛の一本ずつ個々の先端部分に洗浄と水切りを兼ねるエッジ加工が施された洗浄用ブラシに関するものである。
【背景技術】
【０００２】従来自動車の塗装面やガラスに付着した汚れを洗浄するためのブラシ毛の材質としては合成樹脂及び、諸種の獣毛等があるが洗浄面に対して毛の当たり方が均一でないため強く押し当てる必要があり何度も擦りつける必要があり多くの労力を要していた又、ブラシの使用用途は洗浄のみであり洗浄後に残った水滴は水切り用のワイパー等を使用することで対処していた。
しかし、水切りワイパーの形状は直線に等しく不陸のある部分での水切りは不得手としていた。【０００３】又、洗浄作業には水道水などの洗浄水が必要であり洗浄水が無い場所では洗浄水が入った容器を用意しておく必要があった。
【発明の開示】
【発明が解決しようとする課題】
【０００４】汚れの洗浄と水切り作業が同時に行えるブラシ毛の一本ずつ個々の先端部分に洗浄と水切りを兼ねるエッジ加工が施され洗浄面に不陸のある場合においても対応出来る構造とした洗浄用ブラシ。【０００５】洗浄用の液体を入れる容器として市販の飲料水用のペットボトルの容器を取り付けることが出来る構造とした洗浄用ブラシ。
【課題を解決するための手段】
【０００６】本発明はブラシ毛の材質をシリコン樹脂又はシリコンゴム等とし又、先端部にエッジ加工を施し洗浄面に対しブラシ毛一本ずつ個々のエッジ先端部が均一に接触するようにブラシ毛を加工したことを特徴とするブラシ毛先端部分にエッジ加工が施された洗浄用ブラシ提供するものである。【０００７】ブラシ毛のエッジの近くに洗浄用の液体が排出されることを特徴とするブラシ毛先端部分にエッジ加工が施された洗浄用ブラシ提供するものである。【０００８】ブラシ毛の進行方向に存在する洗浄面に残った水滴がエッジ加工されたブラシ毛先端の中心に集められ水滴を掻き落とすことを特徴とするブラシ毛先端部分にエッジ加工が施された洗浄用ブラシ提供するものである。【０００９】洗浄用の液体をブラシ毛の先端部より排出するための液体を入れる容器として市販の飲料水用のペットボトルが接続出来ることを特徴とするブラシ毛先端部分にエッジ加工が施された洗浄用ブラシ提供するものである。
【発明を実施するための最良の形態】
【００１０】本発明を実施する一例について図面を参照しながら説明する。
図１において本発明における符号１洗浄用ブラシを示す、符号２ブラシ毛はシリコン樹脂又はシリコンゴム等の柔軟性と弾力性を兼ね備えた素材で作られているため垂直面等の洗浄中においてもブラシ毛が倒れることの無いよう配慮されている。【００１１】又、ブラシ毛の材料は吸水性が極めて少ないために水分等の重さによってブラシ毛が倒れることの無いようにも配慮されている。【００１２】又、符号４取手の根元には符号６市販の飲料水等のペットボトルが接続出来、容器に洗浄用の液体等を入れてブラシ使用中にブラシ毛より液体を排出しながら作業することが出来る。【００１３】図２はブラシ毛の先端よりブラシ基台を見たブラシ毛の配列を示す平面図である。図の矢印方向にブラシを動かした場合は先にＡ列のブラシ毛の先端部分のエッジによって汚れ落とし及び、水切りが行われそしてＡ列のブラシ毛の隙間によって汚れ落とし及び、水切りが行われなかった部分を清掃できるように配置されたＢ列のブラシ毛によって汚れ落とし及び、水切りが行われるため１回の動作でブラシの長手方向の作業が終了できる。【００１４】図３はブラシ毛１本の垂直断面図および矢印で引き出された部位の水平断面図である、ブラシ毛の先にはエッジが水平及び、垂直に設けてあるため先端部のエッジ以外でも汚れを落とせるように配慮されておりブラシ毛の上部は先端部分のエッジが洗浄面の不陸にも効果的に追従出来るよう断面が円形に形成されており又、垂直面等の使用においてもブラシ毛が倒れないように根元へ行くに従って太く形成されている。【００１５】又、ブラシ毛の根元からは洗浄用の液体を通す穴が開いており液体はブラシ毛内部を通り先端部分のエッジに近い水平断面図ｄの場所で排出されるため少量の液量で効率的な洗浄作業を行うことが出来る。【００１６】そして、水切りの作業の際は水平断面図ａのエッジで掻き取られた水滴は水平断面図ｂの矢印方向に示すようにブラシ毛の中央に集められるため効果的に水切り作業を行うことが出来る。【００１７】図４は図２の矢印方向にブラシを動かした場合での洗浄面に勾配がある場合においての水切り作業中の状況を示すＡ列のブラシ毛部分での断面図である、洗浄面に勾配がある場合は高所より低所へブラシを動かすことによってブラシ毛先端のエッジによって掻き集められた水滴はその自重によって水下に流れ落ちるためより水切り作業の効率を上げることが出来る。
【発明の効果】
【００１８】以上説明したように本発明に係るブラシ毛先端部分にエッジ加工が施された洗浄用ブラシを用いることで洗浄中にブラシを押し当てる力がブラシ毛の個々の先端部分に設けたエッジに集中するためブラシを洗浄面に強く押し当てなくても効果的に洗浄作業が行えるといった優れた効果を奏する。
【００１９】さらに、ブラシ毛の１本ずつ個々に洗浄用の液体を通すための穴が開けられており液体はブラシ毛先端部分のエッジ近くに排出されるため少量の液量で効果的に洗浄が出来るため、洗浄の液体が水道水の場合は節水に協力でき又、洗剤等であれば使用量を減らすことによって排水による環境負荷を減らすことが出来るといった優れた効果を奏する。
【図面の簡単な説明】
【図１】本発明に係るブラシ毛先端部分にエッジ加工が施された洗浄用ブラシの斜視図である。
【図２】本発明に係るブラシ毛先端よりブラシ基台を見たブラシ毛の配置を示す平面図である。
【図３】本発明に係るブラシ毛の１本の垂直方向の断面図と各部位の水平方向の断面図である。
【図４】本発明に係る傾斜のある洗浄面での矢印方向にブラシを動かした状態でのブラシ毛先端部分のエッジによって水切りが行われていることを示す断面図である。
【符号の説明】
１  ブラシ毛先端部分にエッジ加工が施された洗浄用ブラシ
２  ブラシ毛
３  ブラシ基台
４  取手
５  柄の方向の切り替えねじ
６  洗浄用の液体が入ったペットボトルの容器
７  水滴
８  洗浄面
【図１】
2010155004.tif 000003
【図２】
2010155004.tif 000004
【図３】
2010155004.tif 000005
【図４】
2010155004.tif 000006